(57)【要約】      （修正有）【課題】髪を包み、たるみをとり、係止する作業が片手でも簡単にスピーディに行なうことができるヘアーキャップを提供する。【解決手段】吸水性に優れた布地の一方を頭挿入部２となし他方を頭出口開口部３となした円筒形状に形成し、前記頭挿入部を伸縮可能とし、前記頭出口開口部は軸心方向に対して斜めに開口し、該斜め開口部の先端に抜け止め部４を形成し、かつ円筒軸心方向に係止帯５を設ける。【選択図】図１
2009247840.tif 000002
【特許請求の範囲】
【請求項１】
吸水性に優れた布地の一方を頭挿入部となし他方を頭出口開口部となした円筒形状に形成し、前記頭挿入部は伸縮可能であり、前記頭出口開口部は軸心方向に対して斜めに開口し、該斜め開口部の先端に抜け止め部を形成し、かつ円筒軸心方向に係止帯を設けたことを特徴とするヘアーキャップ。
【請求項２】
前記吸水性に優れた布地は、タオル地であることを特徴とする請求項１記載のヘアーキャップ。
【請求項３】
本体円筒部にギャザー部を形成したことを特徴とする請求項１及び請求項２記載のヘアーキャップ。
【発明の詳細な説明】
【技術分野】
【０００１】  本発明は、一般家庭で使用されるヘアーキャップに関する。
【背景技術】
【０００２】  従来、濡れた髪を包むヘアーキャップは吸水性のある素材で作られていて、ターバン状のもの、帽子やナイトキャップのような袋状のもの、筒状のもの（例えば、特許文献１参照。）があった。【０００３】  使い方として、頭に巻いたり被ったりする方法の他、筒状のものに、筒を一旦首まで通し、髪を筒の外に出してから引き戻す方法が特許文献１に示されている。【０００４】  また、筒先や蓋になる部分をたたんで係止する方法として、紐で結ぶもの、輪をボタンにかけるもの、ゴム輪で絞るもの、マジックテープでとめるもの、特許文献１に示されているように頭挿入口に折って差し込むものがあった。【０００５】
【特許文献１】特開平９−２４１９１３
【発明の開示】
【発明が解決しようとする課題】
【０００６】  以上に述べた従来のヘアーキャップは以下の問題を抱えていた。【０００７】  ターバン状のものは、頭に巻きつける作業に両手を必要とした。
また、帽子やナイトキャップのような袋状のものは、髪を袋に納めるために、一方の手で頭挿入口を開き、他方の手で髪をすき入れる作業をするため両手を必要とした。【０００８】  筒状のものは、一旦首まで通し、髪を筒の外に出してから引き戻すことで片手でも髪を包み入れることができた。しかし、係止方法に簡単で確実なものが無かった。【０００９】  紐で結ぶものは両手を必要とした。【００１０】  輪をボタンにかけるものは、手探りで通すので片手ではコツを必要とした。また、係止位置が決まっているので、筒にたるみが生じたときには、筒をねじる等をしてたるみをとらなければたれてしまうので両手を必要とした。【００１１】  ゴム輪を通すものは、片手だけでは挿入が難しいので両手を必要とした。加えて、余った筒先が塊となってブラブラするので、頭から脱落し易いという欠点があった。【００１２】  マジックテープでとめるものは、髪を挟み込むと痛いという欠点があった。また、留め直しが必要になったときは、片手でキャップ側をおさえ、もう一方の手でテープを剥がさないと頭から脱落してしまうので両手を必要とした。【００１３】  特開平９−２４１９１３に示されているように頭挿入口に折って差し込むものは、隙間ができて髪が脱落することや、水滴がたれる欠点があった。また、たるみの量によって頭の被り口がきつくなったりゆるくなったりした。【００１４】  以上に述べた従来のヘアーキャップは、母親が子供や幼児と一緒に入浴したとき、特に寒い冬場には子供の体を先に拭くなど子供の面倒を先にみなければならず、或いは幼児を抱いている場合は片手しか使えず、その間に冷えてしまう状況の中で、洗髪して濡れた髪を素早く確実に片手で装着できるものはなかった。【００１５】  本発明は、このような従来の構成が有していた問題を解決しようとするものであり、片手でも素早く確実に装着できるヘアーキャップを実現することを目的とするものである。
【課題を解決するための手段】
【００１６】  本発明は上記目的を達成するために、タオル地など吸水性に優れた布地の一方を頭挿入部となし他方を頭出口開口部となした円筒形状に形成し、前記頭挿入部を伸縮可能とし、前記頭出口開口部を軸心方向に対して斜めに形成し、該頭出口開口部の先端に抜け止め部を形成し、円筒軸心方向に沿って係止帯を設けたものである。【００１７】  上記の課題解決手段による作用は次の通りである。すなわち、本体が筒状をしているので一旦首まで通して髪を出し、頭出口開口部が斜めになって円錐形をなしているので先端を引き上げることで筒が均等に引っ張られ、片手で髪を本体部に収めることができる。
前記頭出口開口部の先端には抜け止め部が形成されており、円筒の対辺側には係止帯が円筒軸心方向に設けられているので、抜け止め部がよじられて係止帯に差し込まれ、抜けにくくなり、更に引くだけで、たるんだ余りを取り除くことができる。【００１８】  また、ギャザー部を設けることによってボリュームのある髪をふんわりと包んで保持すると共に給水効果を高め、おしゃれな感じを演出する。
【発明の効果】
【００１９】  上述したように本発明のヘアーキャップは、被って髪を収め、たるみをとって係止する一連の動作を片手で行なうことができるので、片手で確実にスピーディに被着できるヘアーキャップを提供できる。
【発明を実施するための最良の形態】
【００２０】
【００２１】  以下、本発明の実施の形態を図１〜図５に基づいて説明する。【００２２】  図１は、本発明のヘアーキャップの外観斜視図である。図において、１は本体部で、タオル地などの吸水性の良い素材でできていて円筒状をしている。２は頭挿入部で、ゴム紐やゴム帯を添わせた伸縮部２Ａを備えている。３は頭出口開口部で、本体部１の円筒軸心方向に斜めに形成されている。４は抜け止め部で、頭出口開口部３の先端に形成されている。５は係止帯で、本体短辺部１Ａに本体１の軸心方向に形成されている。６はギャザー部である。図２は、図１の係止帯５の方向から見た本発明の外観斜視図である。【００２３】  以下、上記構成の作用を図３及び図４によって説明する。図３及び図４は本発明の本体部を被着する作業手順を示す斜視説明図である。図３は、頭挿入部２から頭を挿入し、頭出口開口部３から頭部を出して首まで通し、髪を頭出口開口部３から外にかき出した状態を示している。
次に、頭出口開口部３の先端に形成されている抜け止め部４（図示せず。）をＹ方行に引く。頭出口開口部３は斜めに形成されているので、先端を引くことにより円錐の頂点を引くように筒全体に力が加わり本体部１全体が均一に引っ張られる。このことにより髪が本体１の内部にスムースにきれいに収納される。【００２４】  引き上げられた頭挿入部２は、図４のように伸縮部２Ａによって顔の輪郭に密着する。
引き上げて髪を収納した後、抜け止め部４をＸ方向に折り返し係止帯５に差し込む。これらの動作は、手探りで簡単に行なうことができ、同時に抜け止め部４を引く量でたるみを調節することができる。【００２５】  頭出口開口部３が斜めに形成されていることで、先端側に向かって布地のボリュームが程よく減って布地の無駄な重なりや重さを抑えるので、スッキリたたむ効果も併せ持つ。【００２６】  係止帯５は本体１の軸心方向に形成されているので、頭出口開口部３がＸ方向に折り返されるとき、抜け止め部４がねじられて係止帯５に挿入される。従って、ねじりが摩擦抵抗を増して更に抜けにくくする。
図５は、図４を係止帯５側から見た本発明の本体部を被着した状態を示す説明図である。【００２７】  抜け止め部４は、図１において頭出口開口部３の先端を切り落とし、閉じて縫合した形状で示されている。このことによって抜け止めの塊として充分機能するが、布地やクッション素材など他の素材で塊を形成してもよい。
抜け止め部４を形成しない場合は、先すぼまり形状になるので係止帯５から脱落する方向に力が働いて抜けてしまう。【００２８】  係止帯５は、図１において本体筒短辺部１Ａに設けてあるが、側面にあっても、複数個あってもよい。これにより障害がある場合や、利き腕による好みに対応することができる。【００２９】  また、係止帯５は、本体部１の外側だけでなく内側にも設けてあってもよい。このことにより表裏逆に被った場合でも係止可能となり、また、誤って頭出口開口部３から被ってしまっても、表裏を返して上に引き上げることにより、同様に係止可能となる。【００３０】  本体筒長辺部１Ｂは、まっすぐでもよいが、頭の曲線に合わせた形に縫製してもよい。【００３１】  尚、図３から図５において、係止帯５が設けられている本体筒短辺部１Ａが顔側の位置に表示しているが、本体筒長辺部１Ｂを顔側にして被着してもよい。これは、抜け止め部を頭上に引く動作をするだけで顔を出してそのまま折り返すことができ、更に、重力が加わって自然に折り返されるので被着し易くなるという効果が得られる。
【図面の簡単な説明】
【００３２】
【図１】  本発明の外観斜視図である。
【図２】  本発明の外観斜視図である。
【図３】  本発明の本体部を被着する作業手順を示す斜視説明図である。
【図４】  本発明の本体部を被着する作業手順を示す斜視説明図である。
【図５】  本発明の本体部を被着した状態を示す説明図である。
【符号の説明】
【００３３】  １    本体部
１Ａ  本体筒短辺部
１Ｂ  本体筒長辺部
２    頭挿入部
２Ａ  伸縮部
３    頭出口開口部
４    抜け止め部
５    係止帯
６    ギャザー部
【図１】
2009247840.tif 000003
【図２】
2009247840.tif 000004
【図３】
2009247840.tif 000005
【図４】
2009247840.tif 000006
【図５】
2009247840.tif 000007